(57)【要約】  天井扇（５０）は、天井に固定される固定金具（１）と、固定金具（１）に取り付けられるローラ（２）と、ローラ（２）に吊り下げられるパイプ（４）と、電動機（２６）を備え、パイプ（４）に連結される本体（５）と、電動機（２６）によって回転駆動される回転翼（２５）と、パイプに回転不能に固定される第１連結板及びパイプ（４）に回転可能に固定される第２連結板を有し、ローラ（２）とパイプ（４）とを連結する連結板（３）と、第１連結板と第２連結板とでローラ（２）を挟んで固定するボルト（８）とを備え、第２連結板は、ボルト（８）に係合する切り欠き部が形成されている。
2019130490.tif 000002
【特許請求の範囲】
【請求項１】
天井に固定される固定金具と、
前記固定金具に取り付けられるローラと、
前記ローラに吊り下げられるパイプと、
電動機を備え、前記パイプに連結される本体と、
前記電動機によって回転駆動される回転翼と、
前記パイプに回転不能に固定される第１連結板及び前記パイプに回転可能に固定される第２連結板を有し、前記ローラと前記パイプとを連結する連結板と、
前記第１連結板と前記第２連結板とで前記ローラを挟んで固定するボルトとを備え、
前記第２連結板は、前記ボルトに係合する切り欠き部が形成されていることを特徴とする天井扇。
【請求項２】
前記第１連結板は、前記ローラの縁に引っ掛けることが可能な引掛け部を有することを特徴とする請求項１に記載の天井扇。
【請求項３】
前記第１連結板は、前記パイプに固定される部分に、前記パイプの側面に沿う形状の絞り部が形成されていることを特徴とする請求項１又は２に記載の天井扇。
【請求項４】
請求項１から３のいずれか１項に記載の天井扇を天井に設置する天井扇の設置方法であって、
前記回転翼が取り付けられた前記本体と前記パイプとを連結する工程と、
前記第１連結板及び前記第２連結板とで前記パイプを挟み、前記第２連結板を前記パイプに回動可能に固定する工程と、
天井に固定された前記固定金具に前記ローラを取り付ける工程と、
前記第１連結板を前記ローラに引っ掛ける工程と、
前記ボルトを前記第１連結板及び前記ローラの順に貫通させる工程と、
前記第２連結板を回転させて前記切り欠き部を前記ボルトに係合させる工程とを有することを特徴とする天井扇の設置方法。
【発明の詳細な説明】
【技術分野】
【０００１】
本発明は、天井に設置されて床面に向かって気流を送る天井扇及び天井扇の設置方法に関する。
【背景技術】
【０００２】
特許文献１に開示される天井扇は、天井固定される固定金具と、固定金具に取り付けられる吊り下げ部と、吊り下げ部に吊り下げられるパイプと、パイプに締結される本体とから構成され、パイプと本体とがボルト及びナットによって締結される。
【先行技術文献】
【特許文献】
【０００３】
【特許文献１】国際公開第２０１２／０３２７５５号
【発明の概要】
【発明が解決しようとする課題】
【０００４】
特許文献１に開示される天井扇は、天井に固定された固定金具に取り付けるとき、固定金具と吊り下げ部をボルトとナットとで締結する構造となっている。特許文献１に開示される天井扇は、高所である天井で設置作業を一人で行う場合、片手で本体を保持しながら、固定金具と吊り下げ部とをボルトとナットとで締結する作業を行う必要がある。したがって、特許文献１に開示される天井扇は、施工性を改善する余地がある。【０００５】
本発明は、上記に鑑みてなされたものであって、高所における設置作業を一人で行う場合の施工性が高い天井扇を得ることを目的とする。
【課題を解決するための手段】
【０００６】
上述した課題を解決し、目的を達成するために、本発明は、天井に固定される固定金具と、固定金具に取り付けられるローラと、ローラに吊り下げられるパイプと、電動機を備え、パイプに連結される本体と、電動機によって回転駆動される回転翼とを有する。本発明は、パイプに回転不能に固定される第１連結板及びパイプに回転可能に固定される第２連結板を有し、ローラとパイプとを連結する連結板と、第１連結板と第２連結板とでローラを挟んで固定するボルトとを備える。第２連結板は、ボルトに係合する切り欠き部が形成されている。
【発明の効果】
【０００７】
本発明に係る天井扇は、高所における設置作業を一人で行う場合の施工性が高いという効果を奏する。
【図面の簡単な説明】
【０００８】
【図１】本発明の実施の形態１に係る天井扇の側面図
【図２】実施の形態１に係る天井扇の上部を第１連結板側から見た斜視図
【図３】実施の形態１に係る天井扇の上部を第２連結板側から見た斜視図
【図４】実施の形態１に係る天井扇の上部の、第２連結板をボルトに係合させた状態での斜視図
【図５】実施の形態１に係る天井扇の天井に設置した状態での上部の斜視図
【発明を実施するための形態】
【０００９】
以下に、本発明の実施の形態に係る天井扇及び天井扇の設置方法を図面に基づいて詳細に説明する。なお、この実施の形態によりこの発明が限定されるものではない。
【００１０】
実施の形態１．
図１は、本発明の実施の形態１に係る天井扇の側面図である。図１に示すように、天井扇５０は、Ｕ字形状部１ａを備え天井１８に固定される固定金具１と、固定金具１に取り付けられるゴム製のローラ２と、ローラ２に連結される連結板３と、連結板３によって吊り下げられるパイプ４と、パイプ４に連結される本体５を有している。本体５の下部には、回転翼２５が取り付けられている。回転翼２５は、本体５に接続されるボウル形状の羽根取付板６と、羽根取付板６に取り付けられて水平方向に延びる複数の羽根７とを有する。
【００１１】
本体５の内部には、回転翼２５を駆動する電動機２６が収容されている。電動機２６の電源線２７は、パイプ４を通って天井１８に引き込まれ、不図示の電源に接続されている。天井扇５０は、回転翼２５が回転することによって天井面から床面へ送風する。
【００１２】
図２は、実施の形態１に係る天井扇の上部を第１連結板側から見た斜視図である。図３は、実施の形態１に係る天井扇の上部を第２連結板側から見た斜視図である。ローラ２は、中心軸と同軸の貫通穴２ａが形成されている。また、ローラ２の外周面２ｂには、固定金具１のＵ字形状部１ａが嵌まる溝２ｃが形成されている。連結板３は、パイプ４の側面に沿う形状の絞り部１１を備えた第１連結板３ａと、一端部側に切り欠き部１２を備えた平板状である第２連結板３ｂとを有する。絞り部１１は、第１連結板３ａのパイプ４に固定される部分に形成されている。切り欠き部１２は、第２連結板３ｂの幅方向に切り欠きが形成されている。第２連結板３ｂは、他端部側に貫通穴１９が形成されている。第１連結板３ａは、上部貫通穴２０及び下部貫通穴２１の二つの穴が開けられている。上部貫通穴２０の中心と下部貫通穴２１の中心との間隔は、切り欠き部１２の切り欠きの幅方向の中央と、貫通穴１９の中心との間隔と同じになっている。第１連結板３ａは、上部に引っ掛け部９を備える。上部貫通穴２０は、引っ掛け部９をローラ２の上部の縁に引っ掛けた状態でローラ２の貫通穴２ａと重なる位置に形成されている。
【００１３】
天井扇５０を天井１８に設置する作業に先立って、第１連結板３ａ及び第２連結板３ｂは、第１連結板３ａの下部貫通穴２１、パイプ４の上部をパイプ４の軸と直交する方向に貫通する貫通穴及び第２連結板３ｂの貫通穴１９、ワッシャ１４ａ及びナット１５ａの順にボルト１３が通され、ナット１５ａがボルト１３に締結される。第１連結板３ａは、パイプ４の側面に対応する形状の絞り部１１を備えている。したがって、第１連結板３ａとパイプ４との位置合わせを容易に行える。ボルト１３には、軸方向と直交する方向に貫通する貫通穴２２が空けられている。貫通穴２２には、割ピン１６ａが通される。なお、ボルト１３は、第２連結板３ｂの貫通穴１９、パイプ４の貫通穴及び第１連結板３ａの下部貫通穴２１、ワッシャ１４ａ及びナット１５ａの順に通してもよい。
【００１４】
平板状の第２連結板３ｂは、ナット１５ａがボルト１３に締結された状態において、ボルト１３を軸に回転可能である。一方、パイプ４の側面に対応する形状の絞り部１１を備えた第１連結板３ａは、ナット１５ａがボルト１３に締結された状態において、ボルト１３を軸に回転させることはできない。
【００１５】
天井扇５０を天井１８に設置する際には、固定金具１が天井１８に固定される。また、回転翼２５が取り付けられた本体５とパイプ４とを連結する。第１連結板３ａ及び第２連結板３ｂとでパイプ４を挟み、第２連結板３ｂをパイプ４に回動可能に固定する。そして、溝２ｃがＵ字形状部１ａに嵌め込まれて、ローラ２が固定金具１に取り付けられる。引っ掛け部９をローラ２の上部に係合させることにより、上部貫通穴２０とローラ２の貫通穴２ａとの位置を容易に合わせることができる。また、引っ掛け部９をローラ２の上部に係合させることにより、天井扇５０を仮固定することができ、天井１８への天井扇５０の設置作業の作業性が向上する。ローラ２の外周面２ｂに形成された溝２ｃにＵ字形状部１ａが嵌まっているため、引っ掛け部９をローラ２に引っ掛けて天井扇５０を仮固定しても、ローラ２は固定金具１から脱落しない。
【００１６】
次に、第１連結板３ａの上部貫通穴２０及びローラ２の貫通穴２ａの順にボルト８が通される。図４は、実施の形態１に係る天井扇の上部の、第２連結板をボルトに係合させた状態での斜視図である。第１連結板３ａ及び第２連結板３ｂは、ボルト８でローラ２に連結される。
【００１７】
第２連結板３ｂは、切り欠き部１２を有するため、下部貫通穴２１に通されたボルト１３を回転軸にして回転させることにより、ボルト８をローラ２の貫通穴２ａに通した後でも切り欠き部１２にボルト８を係合させることができる。
【００１８】
切り欠き部１２にボルト８を係合させた状態で、ボルト８にワッシャ１４を通し、ナット１５を締結することで、第１連結板３ａ及び第２連結板３ｂがローラ２に固定される。第１連結板３ａ及び第２連結板３ｂをローラ２に固定することにより、回転翼２５、本体５及びパイプ４は、固定金具１に固定される。
【００１９】
図５は、実施の形態１に係る天井扇の天井に設置した状態での上部の斜視図である。図５に示すように、連結板３を貫通するボルト８をワッシャ１４及びナット１５で固定した後に、緩み止め用の割ピン１６を穴１７に通すことで、天井扇５０の設置が完了する。
【００２０】
実施の形態１に係る天井扇５０は、第１連結板３ａをローラ２に引っ掛ける工程と、ボルト８を第１連結板３ａ及びローラ２の順に貫通させる工程と、第２連結板３ｂを回転させて切り欠き部１２をボルト８に係合させる工程とを有するため、施工性に優れ、高所においても信頼性の高い取り付け工事を行うことができる。
【００２１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２２】
１  固定金具、１ａ  Ｕ字形状部、２  ローラ、２ａ，１９，２２  貫通穴、２ｂ  外周面、２ｃ  溝、３  連結板、３ａ  第１連結板、３ｂ  第２連結板、４  パイプ、５  本体、６  羽根取付板、７  羽根、８，１３  ボルト、９  引っ掛け部、１１  絞り部、１２  切り欠き部、１４，１４ａ  ワッシャ、１５，１５ａ  ナット、１６，１６ａ  割ピン、１７  穴、１８  天井、２０  上部貫通穴、２１  下部貫通穴、２５  回転翼、２６  電動機、２７  電源線、５０  天井扇。
【図１】
2019130490.tif 000003
【図２】
2019130490.tif 000004
【図３】
2019130490.tif 000005
【図４】
2019130490.tif 000006
【図５】
2019130490.tif 000007
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
天井に固定されるＵ字形状の固定金具と、
前記固定金具に取り付けられるローラと、
前記ローラに吊り下げられるパイプと、
電動機を備え、前記パイプに連結される本体と、
前記電動機によって回転駆動される回転翼と、
前記パイプに回転不能に固定される第１連結板及び前記パイプに回転可能に固定される第２連結板を有し、前記ローラと前記パイプとを連結する連結板と、
前記第１連結板と前記第２連結板とで前記ローラを挟んで固定するボルトとを備え、
前記第２連結板は、前記ボルトに係合する切り欠き部が形成されていることを特徴とする天井扇。
【請求項２】
前記第１連結板は、前記ローラの縁に引っ掛けることが可能な引掛け部を有することを特徴とする請求項１に記載の天井扇。
【請求項３】
前記第１連結板は、前記パイプに固定される部分に、前記パイプの側面に沿う形状の絞り部が形成されていることを特徴とする請求項１又は２に記載の天井扇。
【請求項４】
請求項１から３のいずれか１項に記載の天井扇を天井に設置する天井扇の設置方法であって、
前記回転翼が取り付けられた前記本体と前記パイプとを連結する工程と、
前記第１連結板及び前記第２連結板とで前記パイプを挟み、前記第２連結板を前記パイプに回動可能に固定する工程と、
天井に固定された前記固定金具に前記ローラを取り付ける工程と、
前記第１連結板を前記ローラに引っ掛ける工程と、
前記ボルトを前記第１連結板及び前記ローラの順に貫通させる工程と、
前記第２連結板を回転させて前記切り欠き部を前記ボルトに係合させる工程とを有することを特徴とする天井扇の設置方法。
【国際調査報告】
2019130490.tif 000008
2019130490.tif 000009
2019130490.tif 000010
2019130490.tif 000011